【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
シグマデルタ変調された１ビットストリームが供給されるとこのピークレベルを検出する装置であって、
前記供給された１ビットストリームを順次書き込み記憶していく記憶手段と、
前記記憶手段に記憶されたピーク値のアドレスである最大ピークアドレスを検出するピーク位置検出手段と、この検出された最大ピークアドレスに応じて前記記憶手段の対応するデータを読み出すデータ読み出し手段と、
この読み出されたデータの低域を通過させるローパスフィルタと、を備えたことを特徴とするピークレベル検出装置。
【請求項２】
請求項１に記載の装置において、
前記ローパスフィルタでの遅延時間と、前記ピーク位置検出手段での遅延時間とが同一になるように構成されていることを特徴とするピークレベル検出装置。
【請求項３】
請求項１および２の内のいずれか一項に記載の装置において、
前記ローパスフィルタは、
順番に係数が記憶されたテーブルから係数を読み出して順次読み出されたデータを乗じたものを、順次、加算していく内積部を備えて成ることを特徴とするピークレベル検出装置。
【請求項４】
請求項２および３の内のいずれか一項に記載の装置において、
前記ピーク位置検出手段は、
所要の遅延を発生させる遅延部と複数のシフト部の夫々とを直列に接続し、更に、各シフト部から取り出したデータを加算する加算部と、この加算部の加算結果の絶対値を求める絶対値検出部と、最大ピークアドレス検出部とを含み、
この最大ピークアドレス検出部は、
前記絶対値検出部が求めた絶対値が、自身が現在保持している絶対値よりも大きなものとなった場合に自身が現在保持しているアドレスをこれより大きな絶対値に対するアドレスで更新し、所定時間間隔でその時保持されているアドレスを最大ピークアドレスとして出力することを特徴とするピークレベル検出装置。
【請求項５】
シグマデルタ変調された１ビットストリームが供給されるとこの最大値および最小値のレベルを検出する装置であって、
前記供給された１ビットストリームを順次書き込み記憶していく記憶手段と、
前記記憶手段に記憶された最大値のアドレスである最大値アドレスを検出する最大値位置検出手段と、この検出された最大値アドレスに応じて前記記憶手段の対応する最大値データを読み出す第１のデータ読み出し手段と、
前記記憶手段に記憶された最小値のアドレスである最小値アドレスを検出する最小値位置検出手段と、この検出された最小値アドレスに応じて前記記憶手段の対応する最小値データを読み出す第２のデータ読み出し手段と、
前記第１の読み出し手段および前記第２の読み出し手段で読み出された夫々のデータの低域を通過させるローパスフィルタと、を備えたことを特徴とするピークレベル検出装置。
【請求項６】
請求項５に記載の装置において、
前記ローパスフィルタでの遅延時間と、前記最大値位置検出手段および前記最小位置検出手段での遅延時間とが同一になるように構成されていることを特徴とするピークレベル検出装置。
【請求項７】
請求項６に記載の装置において、
前記最大値位置検出手段と前記最小値位置検出手段とは１つのピーク位置検出手段として構成され、
前記ピーク位置検出手段は、
所要の遅延を発生させる遅延部と複数のシフト部の夫々とを直列に接続し、更に、各シフト部から取り出したデータを加算する加算部と、アドレス出力制御部とを含み、
このアドレス出力制御部は、
前記加算部が求めた加算値が、自身が現在保持している最大値よりも大きなものとなった場合に自身が現在保持している最大値アドレスを、これより大きなものに対応するアドレスで更新し、所定時間間隔でその時保持されている最大値のアドレスを最大値アドレスとして出力すると共に、
前記加算部が求めた加算値が、自身が現在保持している最小値よりも小さなものとなった場合に自身が現在保持している最小値アドレスを、これより小さなものに対応するアドレスで更新し、所定時間間隔でその時保持されている最小値のアドレスを最小値アドレスとして出力することを特徴とするピークレベル検出装置。
【手続補正２】
【補正対象書類名】明細書
【補正対象項目名】０００８
【補正方法】変更
【補正の内容】
【０００８】
また、本発明の他の態様は、シグマデルタ変調された１ビットストリームが供給されるとこの最大値および最小値のレベルを検出する装置であって、
前記供給された１ビットストリームを順次書き込み記憶していく記憶手段と、
前記記憶手段に記憶された最大値のアドレス（最大値アドレス）を検出する最大値位置検出手段と、この検出された最大値アドレスに応じて前記記憶手段の対応する最大値データを読み出す第１のデータ読み出し手段と、
前記記憶手段に記憶された最小値のアドレス（最小値アドレス）を検出する最小値位置検出手段と、この検出された最小値アドレスに応じて前記記憶手段の対応する最小値データを読み出す第２のデータ読み出し手段と、
前記第１の読み出し手段および前記第２の読み出し手段で読み出された夫々のデータの低域を通過させるローパスフィルタと、を備えたことを特徴としている。そして、前記ローパスフィルタでの遅延時間と、前記最大値位置検出手段および前記最小位置検出手段での遅延時間とが同一になるように構成されているので、この装置においてもデータ読み出しタイミングが装置動作に支障をきたすことはない。
【手続補正３】
【補正対象書類名】明細書
【補正対象項目名】０００９
【補正方法】変更
【補正の内容】
【０００９】
より具体的には、前記最大値位置検出手段と前記最小値位置検出手段とは１つのピーク位置検出手段として構成され、前記ピーク位置検出手段は、所要の遅延を発生させる遅延部と複数のシフト部の夫々とを直列に接続し、更に、各シフト部から取り出したデータを加算する加算部と、アドレス出力制御部とを含み、このアドレス出力制御部は、前記加算部が求めた加算値が、自身が現在保持している最大値よりも大きなものとなった場合に自身が現在保持している最大値アドレスを、これより大きなものに対応するアドレスで更新し、所定時間間隔でその時保持されている最大値のアドレスを最大値アドレスとして出力すると共に、加算部が求めた加算値が、自身が現在保持している最小値よりも小さなものとなった場合に自身が現在保持している最小値アドレスを、これより小さなものに対応するアドレスで更新し、所定時間間隔でその時保持されている最小値のアドレスを最小値アドレスとして出力するように構成されている。
【手続補正４】
【補正対象書類名】明細書
【補正対象項目名】００１３
【補正方法】変更
【補正の内容】
【００１３】
図１は本発明の第１のピークレベル検出装置１の構成図である。このピークレベル検出装置１は、シグマデルタ変調された１ビットストリームのピーク値を求める点に特徴がある。
【手続補正５】
【補正対象書類名】明細書
【補正対象項目名】００１４
【補正方法】変更
【補正の内容】
【００１４】
（構成）
このピークレベル検出装置１は、シグマデルタ変調された１ビットストリームが供給されるとこれを順次書き込み記憶していくためのディレイバッファ３０と、このディレイバッファ３０に記憶されたピーク値のアドレスである最大ピークアドレスを検出するピーク位置検出部１０と、この検出された最大ピークアドレスに応じてディレイバッファ３０の対応するデータを読み出すデータ読み出し部２０と、この読み出されたデータの低域を通過させるローパスフィルタ（以下単に「ＬＰＦ」とも記す）４０と、このローパスフィルタ４０の出力を絶対値化してマルチビットピーク値を出力するＡＢＳ部５０とを備える。なお、図３に示すように、ＡＢＳ部５０の後段にＭＡＸホールド部５５を配置した構成とし、ＡＢＳ部５０からの最大値を順次保持、更新して所定時間毎に保持されている最大値をマルチビットピーク値として出力する構成としても良い。また、ローパスフィルタ４０での信号の遅延時間と、ピーク位置検出部１０での遅延時間とが同一になるように構成されていて、データ読み出しによる装置動作の支障がない様にされている。
【手続補正６】
【補正対象書類名】明細書
【補正対象項目名】００２０
【補正方法】変更
【補正の内容】
【００２０】
図５は本発明の第２のピークレベル検出装置である最大値最小値検出装置２の構成図である。この最大値最小値検出装置２は、シグマデルタ変調された１ビットストリームの最大値および最小値を求める点に特徴がある。
【手続補正７】
【補正対象書類名】明細書
【補正対象項目名】００２１
【補正方法】変更
【補正の内容】
【００２１】
この最大値最小値検出装置２は、供給された１ビットストリームを順次書き込み記憶していくディレイバッファ３５と、ディレイバッファ３５に記憶された最大値のアドレスである最大値アドレスを検出する最大値位置検出部６０と、この検出された最大値アドレスに応じてディレイバッファ３５の対応する最大値データを読み出すデータ読み出し部８０と、ディレイバッファ３５に記憶された最小値のアドレスである最小値アドレスを検出する最小値位置検出部７０と、この検出された最小値アドレスに応じてディレイバッファ３５の対応する最小値データを読み出すデータ読み出し部９０と、データ読み出し部８０およびデータ読み出し部９０で読み出された夫々の１ビットストリームデータの低域を通過させるローパスフィルタ４１とを備えている。また、ローパスフィルタ４１での信号の遅延時間と、最大値位置検出部６０および最小値位置検出部７０での遅延時間とが同一になるように構成されていて、データ読み出しによる装置動作の支障がない様にされている。
【手続補正８】
【補正対象書類名】明細書
【補正対象項目名】００２３
【補正方法】変更
【補正の内容】
【００２３】
図６に示すものは、最大値位置検出部６０および最小値位置検出部７０のより詳細な構成図である。図６（ａ）に示すように、この検出部は、所要の遅延を発生させる遅延部１００と複数のシフト部１０１の夫々とを直列に接続し、更に、各シフト部１０１から取り出したデータを加算する加算部１１０と、アドレス出力制御部２００とを含んで成っている。各シフト部１０１と加算部１１０とで、所定時間におけるデータ加算を行う簡易なローパスフィルタとして機能する。そして、アドレス出力制御部２００は、最小値および最大値に対するアドレスが、リセット時に初期値に設定される。このアドレス出力制御部２００は、加算部１１０が求めた加算値が、自身が現在保持している最大値よりも大きなものとなった場合に現在自身が保持している最大値アドレスを、これより大きなものに対応するアドレスで更新し、所定時間間隔でその時保持されている最大値のアドレスを最大値アドレスとして出力する。また、アドレス出力制御部２００は、加算部１１０が求めた加算値が、自身が現在保持している最小値よりも小さなものとなった場合に自身が現在保持している最小値アドレスを、これより小さなものに対応するアドレスで更新し、所定時間間隔でその時保持されている最小値のアドレスを最小値アドレスとして出力する。かくして、アドレス出力制御部２００は、所定時間毎に、データ読み出し部８０およびデータ読み出し部９０の夫々に対して最大値アドレス、最小値アドレスを送出することが可能となる。なお、アドレス出力制御部１３０は、最大値・最小値アドレス出力直後にリセットされ、再度、最大値・最小値アドレス等が初期値に設定されて次回の所定時間の最大ピークアドレスの出力動作に供えている。
【手続補正９】
【補正対象書類名】明細書
【補正対象項目名】００２９
【補正方法】変更
【補正の内容】
【００２９】
１  ピークレベル検出装置
２  最大値最小値検出装置  
１０  ピーク位置検出部
２０  データ読み出し部
３０  ディレイバッファ
３５  ディレイバッファ
４０  ローパスフィルタ（ＬＰＦ）
４５  内積部
４６  内積部  
４７  内積部
５０  ＡＢＳ部
６０  最大値位置検出部
７０  最小値位置検出部
８０  データ読み出し部
９０  データ読み出し部
１００  遅延部
１０１  シフト部
１１０  加算器
１２０  ＡＢＳ部
１３０  最大ピークアドレス検出部
【手続補正１０】
【補正対象書類名】図面
【補正対象項目名】図１
【補正方法】変更
【補正の内容】
【図１】
2009303009.tif 000001